(57)【要約】【課題】複数のコンテンツをディスプレイ部の予め設定された領域に表示し、アップデート機能を利用して、各コンテンツをダウンロードすることにより、コンテンツを利用するユーザの利便性を向上できるコンテンツ提供システム及びその方法を提供する。【解決手段】移動通信端末機のコンテンツ提供方法は、コンテンツを周期的に受信する段階と、受信されたコンテンツをディスプレイ部の予め設定された領域に順次表示する段階とを含む。【選択図】図３
2006351018.tif 000002
【特許請求の範囲】
【請求項１】
サーバからコンテンツを受信する送受信部と、
前記送受信部から受信されたコンテンツを予め設定された領域に表示するディスプレイ部と、
前記表示されるコンテンツを受信し、前記ディスプレイ部を制御する制御部と、
を含むことを特徴とする移動通信端末機。
【請求項２】
前記制御部が、アップデート機能を利用して、前記サーバから前記表示されるコンテンツを周期的にアップデートすることを特徴とする請求項１に記載の移動通信端末機。
【請求項３】
前記制御部が、前記アップデート機能を利用する移動通信端末機であることを前記サーバに登録することを特徴とする請求項２に記載の移動通信端末機。
【請求項４】
前記制御部が、１次起動時にのみ前記サーバに登録することを特徴とする請求項３に記載の移動通信端末機。
【請求項５】
前記ディスプレイ部が、複数のコンテンツを予め設定された時間間隔で順次表示することを特徴とする請求項１に記載の移動通信端末機。
【請求項６】
コンテンツを周期的に受信する段階と、
前記受信されたコンテンツをディスプレイ部の予め設定された領域に順次表示する段階と、
を含むことを特徴とする移動通信端末機のコンテンツ提供方法。
【請求項７】
アップデート機能を利用する移動通信端末機であることをサーバに登録する段階をさらに含むことを特徴とする請求項６に記載の移動通信端末機のコンテンツ提供方法。
【請求項８】
前記登録する段階は、
前記移動通信端末機の起動時、アップデート機能を利用するか否かを確認する段階と、
前記アップデート機能を利用する場合、前記起動が１次起動であるか否かを確認する段階と、
前記起動が１次起動であると、前記サーバに登録する段階と、
を含むことを特徴とする請求項７に記載の移動通信端末機のコンテンツ提供方法。
【請求項９】
前記起動が１次起動でないと、予め設定された時間ごとに前記サーバからコンテンツをダウンロードする段階をさらに含むことを特徴とする請求項８に記載の移動通信端末機のコンテンツ提供方法。
【請求項１０】
前記ダウンロードする段階は、
予め設定された時間が経過すると、サーバに前記コンテンツの第１データを要求する段階と、
前記サーバから前記コンテンツの第１データをダウンロードし、前記ダウンロードした第１データを保存する段階と、
前記保存された第１データを分析し、前記分析の結果によって、前記サーバに前記コンテンツの第２データを要求する段階と、
前記サーバから前記コンテンツの第２データをダウンロードし、前記ダウンロードした第２データを保存する段階と、
を含むことを特徴とする請求項９に記載の移動通信端末機のコンテンツ提供方法。
【請求項１１】
前記第１データがテキストを含み、前記第２データがイメージを含むことを特徴とする請求項１０に記載の移動通信端末機のコンテンツ提供方法。
【請求項１２】
前記第１データを保存する段階は、
前記サーバから前記コンテンツの全ての第１データを完全にダウンロードしたか否かを確認する段階と、
前記コンテンツの全ての第１データが完全にダウンロードされると、前記ダウンロードした第１データを全て保存する段階と、
を含むことを特徴とする請求項１０に記載の移動通信端末機のコンテンツ提供方法。
【請求項１３】
前記コンテンツの全ての第１データが完全にダウンロードされていないと、前記コンテンツの第１データを予め設定された回数だけ再要求することを特徴とする請求項１２に記載の移動通信端末機のコンテンツ提供方法。
【請求項１４】
前記第２データを要求する段階は、
前記保存されたコンテンツの第１データを分析し、前記第１データに対応する第２データがあるか否かを確認する段階と、
前記第１データに対応する第２データがあると、前記第２データを要求する段階と、
を含むことを特徴とする請求項１０に記載の移動通信端末機のコンテンツ提供方法。
【請求項１５】
前記第２データを保存する段階は、
前記サーバから前記コンテンツの全ての第２データを完全にダウンロードしたか否かを確認する段階と、
前記コンテンツの全ての第２データが完全にダウンロードされると、前記ダウンロードした第２データを全て保存する段階と、
を含むことを特徴とする請求項１０に記載の移動通信端末機のコンテンツ提供方法。
【請求項１６】
前記コンテンツの全ての第２データが完全にダウンロードされていないと、前記コンテンツの第２データを予め設定された回数だけ再要求することを特徴とする請求項１５に記載の移動通信端末機のコンテンツ提供方法。
【請求項１７】
予め設定された条件を満たすと、サーバからコンテンツの第１データを受信する段階と、
前記第１データに対応する第２データの転送を選択的に前記サーバに要求する段階と、
前記サーバから前記コンテンツの第２データを受信する段階と、
前記受信されたコンテンツの第１データ及び第２データの少なくともいずれか一方をディスプレイ部の予め設定された領域に表示する段階と、
を含むことを特徴とする移動通信端末機のコンテンツ提供方法。
【請求項１８】
前記予め設定された条件が、特定時間及び特定位置の少なくともいずれか一方であることを特徴とする請求項１７に記載の移動通信端末機のコンテンツ提供方法。
【請求項１９】
前記第１データがテキストを含み、前記第２データがイメージを含むことを特徴とする請求項１７に記載の移動通信端末機のコンテンツ提供方法。
【請求項２０】
前記第１データの転送を前記サーバに要求する段階をさらに含むことを特徴とする請求項１７に記載の移動通信端末機のコンテンツ提供方法。
【請求項２１】
ディスプレイ部の予め設定された領域にコンテンツを表示し、アップデートする移動通信端末機と、
前記表示されるコンテンツを提供するサーバと、
を含むことを特徴とする移動通信端末機を利用したコンテンツ提供システム。
【請求項２２】
前記移動通信端末機が、アップデート機能を利用して、前記コンテンツを周期的にアップデートすることを特徴とする請求項２１に記載の移動通信端末機を利用したコンテンツ提供システム。
【請求項２３】
前記アップデート機能を利用する少なくとも１つ以上の移動通信端末機を登録する端末機登録サーバをさらに含むことを特徴とする請求項２２に記載の移動通信端末機を利用したコンテンツ提供システム。
【請求項２４】
前記サーバが、前記表示されるコンテンツの第１データ及び第２データを提供することを特徴とする請求項２１に記載の移動通信端末機を利用したコンテンツ提供システム。
【請求項２５】
前記第１データがテキストを含み、前記第２データがイメージを含むことを特徴とする請求項２４に記載の移動通信端末機を利用したコンテンツ提供システム。
【請求項２６】
前記サーバが、アップデート機能を利用して、前記提供するコンテンツの第１データ及び第２データを該当ウェブサイトからダウンロードすることを特徴とする請求項２４に記載の移動通信端末機を利用したコンテンツ提供システム。
【発明の詳細な説明】
【技術分野】
【０００１】
本発明は、コンテンツ提供システム及びその方法に関し、特に、移動通信端末機に効率的に表示されるようにコンテンツを提供するコンテンツ提供システム及びその方法に関する。
【背景技術】
【０００２】
一般に、移動通信端末機は、基地局により形成されるサービスエリア内で移動しながら、ＭＳＣ（Ｍｏｂｉｌｅ  Ｓｗｉｔｃｈｉｎｇ  Ｃｅｎｔｅｒ）のスイッチング制御により、いつどこでも直ちに相手を無線呼出及び無線接続して通信できる装置であって、音声通信だけでなく、記号、数字、文字などが含まれるデータ通信、及び画像信号が含まれるマルチメディア通信が可能である。
【０００３】
前記移動通信端末機は、（１）オンラインゲーム、携帯インターネットサービス、ＶＯＤ（Ｖｉｄｅｏ  Ｏｎ  Ｄｅｍａｎｄ）機能、ファイルダウンロード機能などのオンラインサービスと、（２）チャット、インスタントメッセージ、ショートメッセージ、マルチメディアメッセージ、電子メールなどの各種メッセージ機能と、（３）音声通話、テレビ電話などの通話機能と、（４）動画像撮影、静止画像撮影などのカメラ機能と、（５）スケジューラ、電話帳検索、電卓、メモ帳、通信内容録音、通信内容録画、端末機状態設定、カレンダ検索、ワールドタイム表示、アラーム設定、動画像や音楽ファイルの再生などの各種付加機能を提供する。
【０００４】
前記移動通信端末機に提供される各種付加機能のうち、特に、音楽ファイル、映画ファイル、ゲームファイルなどをダウンロードするためのオンラインサービスの開発により、ユーザの文化生活の質が向上している。このようなオンラインサービスが有料化することによって、サービス提供業者により、オンラインコンテンツを多様なフォーマットで提供するための技術開発が活発に行われている。
【発明の開示】
【発明が解決しようとする課題】
【０００５】
しかし、従来の移動通信端末機においては、ユーザが所望のオンラインコンテンツを利用するためには、毎回、所望のオンラインコンテンツを提供するウェブサイトに接続して、該オンラインコンテンツの内容を一々確認した後に実行しなければならないため、時間的にもコスト的にも非常に不便であるという問題があった。
【０００６】
本発明は、このような従来技術の問題を解決するためになされたもので、複数のコンテンツをディスプレイ部の予め設定された領域に表示し、アップデート機能を利用して、各コンテンツをダウンロードすることにより、コンテンツを利用するユーザの利便性を向上できるコンテンツ提供システム及びその方法を提供することを目的とする。
【課題を解決するための手段】
【０００７】
上記目的を達成するために、本発明は、サーバからコンテンツを受信する送受信部と、前記送受信部から受信されたコンテンツを予め設定された領域に表示するディスプレイ部と、前記表示されるコンテンツを受信し、前記ディスプレイ部を制御する制御部とを含むことを特徴とする移動通信端末機を提供する。
【０００８】
また、上記目的を達成するために、本発明は、コンテンツを周期的に受信する段階と、前記受信されたコンテンツをディスプレイ部の予め設定された領域に順次表示する段階とを含むことを特徴とする移動通信端末機のコンテンツ提供方法を提供する。
【０００９】
さらに、上記目的を達成するために、本発明は、ディスプレイ部の予め設定された領域にコンテンツを表示し、アップデートする移動通信端末機と、前記表示されるコンテンツを提供するサーバとを含むことを特徴とする移動通信端末機を利用したコンテンツ提供システムを提供する。
【００１０】
さらに、上記目的を達成するために、本発明は、コンテンツを表示するディスプレイ部と、通信ネットワークでコンテンツを受信する送受信部と、前記送受信部に受信されたコンテンツを保存するメモリと、前記ディスプレイ部、前記送受信部、及び前記メモリと相互作用して、前記コンテンツのテキストデータを受信する段階と、前記テキストデータの受信が完了した後、前記受信されたテキストデータに対応するイメージデータを受信する段階と、前記受信されたコンテンツのテキストデータ及びイメージデータを前記ディスプレイ部の予め設定された領域に表示する段階とを行う制御部とを含むことを特徴とする移動通信端末機を提供する。
【００１１】
上記目的を達成するために、本発明は、例えば、以下の手段を提供する。
【００１２】
（項目１）
サーバからコンテンツを受信する送受信部と、
上記送受信部から受信されたコンテンツを予め設定された領域に表示するディスプレイ部と、
上記表示されるコンテンツを受信し、上記ディスプレイ部を制御する制御部と、
を含むことを特徴とする移動通信端末機。
【００１３】
（項目２）
上記制御部が、アップデート機能を利用して、上記サーバから上記表示されるコンテンツを周期的にアップデートすることを特徴とする項目１に記載の移動通信端末機。
【００１４】
（項目３）
上記制御部が、上記アップデート機能を利用する移動通信端末機であることを上記サーバに登録することを特徴とする項目２に記載の移動通信端末機。
【００１５】
（項目４）
上記制御部が、１次起動時にのみ上記サーバに登録することを特徴とする項目３に記載の移動通信端末機。
【００１６】
（項目５）
上記ディスプレイ部が、複数のコンテンツを予め設定された時間間隔で順次表示することを特徴とする項目１に記載の移動通信端末機。
【００１７】
（項目６）
コンテンツを周期的に受信する段階と、
上記受信されたコンテンツをディスプレイ部の予め設定された領域に順次表示する段階と、
を含むことを特徴とする移動通信端末機のコンテンツ提供方法。
【００１８】
（項目７）
アップデート機能を利用する移動通信端末機であることをサーバに登録する段階をさらに含むことを特徴とする項目６に記載の移動通信端末機のコンテンツ提供方法。
【００１９】
（項目８）
上記登録する段階は、
上記移動通信端末機の起動時、アップデート機能を利用するか否かを確認する段階と、
上記アップデート機能を利用する場合、上記起動が１次起動であるか否かを確認する段階と、
上記起動が１次起動であると、上記サーバに登録する段階と、
を含むことを特徴とする項目７に記載の移動通信端末機のコンテンツ提供方法。
【００２０】
（項目９）
上記起動が１次起動でないと、予め設定された時間ごとに上記サーバからコンテンツをダウンロードする段階をさらに含むことを特徴とする項目８に記載の移動通信端末機のコンテンツ提供方法。
【００２１】
（項目１０）
上記ダウンロードする段階は、
予め設定された時間が経過すると、サーバに上記コンテンツの第１データを要求する段階と、
上記サーバから上記コンテンツの第１データをダウンロードし、上記ダウンロードした第１データを保存する段階と、
上記保存された第１データを分析し、上記分析の結果によって、上記サーバに上記コンテンツの第２データを要求する段階と、
上記サーバから上記コンテンツの第２データをダウンロードし、上記ダウンロードした第２データを保存する段階と、
を含むことを特徴とする項目９に記載の移動通信端末機のコンテンツ提供方法。
【００２２】
（項目１１）
上記第１データがテキストを含み、上記第２データがイメージを含むことを特徴とする項目１０に記載の移動通信端末機のコンテンツ提供方法。
【００２３】
（項目１２）
上記第１データを保存する段階は、
上記サーバから上記コンテンツの全ての第１データを完全にダウンロードしたか否かを確認する段階と、
上記コンテンツの全ての第１データが完全にダウンロードされると、上記ダウンロードした第１データを全て保存する段階と、
を含むことを特徴とする項目１０に記載の移動通信端末機のコンテンツ提供方法。
【００２４】
（項目１３）
上記コンテンツの全ての第１データが完全にダウンロードされていないと、上記コンテンツの第１データを予め設定された回数だけ再要求することを特徴とする項目１２に記載の移動通信端末機のコンテンツ提供方法。
【００２５】
（項目１４）
上記第２データを要求する段階は、
上記保存されたコンテンツの第１データを分析し、上記第１データに対応する第２データがあるか否かを確認する段階と、
上記第１データに対応する第２データがあると、上記第２データを要求する段階と、
を含むことを特徴とする項目１０に記載の移動通信端末機のコンテンツ提供方法。
【００２６】
（項目１５）
上記第２データを保存する段階は、
上記サーバから上記コンテンツの全ての第２データを完全にダウンロードしたか否かを確認する段階と、
上記コンテンツの全ての第２データが完全にダウンロードされると、上記ダウンロードした第２データを全て保存する段階と、
を含むことを特徴とする項目１０に記載の移動通信端末機のコンテンツ提供方法。
【００２７】
（項目１６）
上記コンテンツの全ての第２データが完全にダウンロードされていないと、上記コンテンツの第２データを予め設定された回数だけ再要求することを特徴とする項目１５に記載の移動通信端末機のコンテンツ提供方法。
【００２８】
（項目１７）
予め設定された条件を満たすと、サーバからコンテンツの第１データを受信する段階と、
上記第１データに対応する第２データの転送を選択的に上記サーバに要求する段階と、
上記サーバから上記コンテンツの第２データを受信する段階と、
上記受信されたコンテンツの第１データ及び第２データの少なくともいずれか一方をディスプレイ部の予め設定された領域に表示する段階と、
を含むことを特徴とする移動通信端末機のコンテンツ提供方法。
【００２９】
（項目１８）
上記予め設定された条件が、特定時間及び特定位置の少なくともいずれか一方であることを特徴とする項目１７に記載の移動通信端末機のコンテンツ提供方法。
【００３０】
（項目１９）
上記第１データがテキストを含み、上記第２データがイメージを含むことを特徴とする項目１７に記載の移動通信端末機のコンテンツ提供方法。
【００３１】
（項目２０）
上記第１データの転送を上記サーバに要求する段階をさらに含むことを特徴とする項目１７に記載の移動通信端末機のコンテンツ提供方法。
【００３２】
（項目２１）
ディスプレイ部の予め設定された領域にコンテンツを表示し、アップデートする移動通信端末機と、
上記表示されるコンテンツを提供するサーバと、
を含むことを特徴とする移動通信端末機を利用したコンテンツ提供システム。
【００３３】
（項目２２）
上記移動通信端末機が、アップデート機能を利用して、上記コンテンツを周期的にアップデートすることを特徴とする項目２１に記載の移動通信端末機を利用したコンテンツ提供システム。
【００３４】
（項目２３）
上記アップデート機能を利用する少なくとも１つ以上の移動通信端末機を登録する端末機登録サーバをさらに含むことを特徴とする項目２２に記載の移動通信端末機を利用したコンテンツ提供システム。
【００３５】
（項目２４）
上記サーバが、上記表示されるコンテンツの第１データ及び第２データを提供することを特徴とする項目２１に記載の移動通信端末機を利用したコンテンツ提供システム。
【００３６】
（項目２５）
上記第１データがテキストを含み、上記第２データがイメージを含むことを特徴とする項目２４に記載の移動通信端末機を利用したコンテンツ提供システム。
【００３７】
（項目２６）
上記サーバが、アップデート機能を利用して、上記提供するコンテンツの第１データ及び第２データを該当ウェブサイトからダウンロードすることを特徴とする項目２４に記載の移動通信端末機を利用したコンテンツ提供システム。
【発明の効果】
【００３８】
本発明によるコンテンツ提供システム及びその方法は、複数のコンテンツをディスプレイ部の予め設定された領域に表示し、アップデート機能を利用して、各コンテンツをダウンロードすることにより、各コンテンツを自動でアップデートし、コンテンツを利用するユーザの利便性を向上できるという効果がある。
【発明を実施するための最良の形態】
【００３９】
以下、複数のオンラインコンテンツをディスプレイ部の予め設定された領域に表示し、自動アップデート機能を利用して、各オンラインコンテンツを周期的にダウンロードすることにより、オンラインコンテンツを利用するユーザの利便性を向上できるコンテンツ提供システム及びその方法の好ましい実施形態について、添付した図面に基づいて説明する。
【００４０】
ここで、前記自動アップデート機能とは、予め設定できるコンテンツを提供する付加機能であって、移動通信端末機に表示される複数のオンラインコンテンツを周期的にダウンロードして自動でアップデートする機能をいう。
【００４１】
以下に使用される用語のうち、「移動通信端末機」は、移動性（又は、固定性）が保障され、有線及び／又は無線インターフェースを介して情報の交換を可能にする、多様なタイプの通信装置（例えば、移動局、ＵＥ（Ｕｓｅｒ  Ｅｑｕｉｐｍｅｎｔ）、ハンドセット、ＰＤＡなど）を含む。なお、前記移動通信端末機は、ストレートタイプ、折り畳みタイプ、スライドタイプなどの様々な構成を有することができる。
【００４２】
図１は本発明によるコンテンツ提供システムを示す図である。
【００４３】
図１に示すように、本発明によるコンテンツ提供システムは、自動アップデート機能を利用する少なくとも１つ以上の移動通信端末機を登録する第１サーバ２００と、ディスプレイ部の予め設定された領域に複数のオンラインコンテンツを順次表示する移動通信端末機１００と、前記表示されるオンラインコンテンツを周期的に提供する第２サーバ３００とを含む。
【００４４】
ここで、前記オンラインコンテンツは、第１データ及び第２データを含むことができる。また、前記第１データはテキストを含み、前記第２データはイメージを含むことができる。このようなオンラインコンテンツは、個人向けコンテンツ（ｐｅｒｓｏｎａｌｉｚｅｄ  ｃｏｎｔｅｎｔｓ）であって、ユーザに提供されるように意図されたものであるか、又は商業広告もしくは広告を提供しようとする者のためのものであり得る。
【００４５】
また、前記オンラインコンテンツは、ＩＤとシーケンス番号がそれぞれ与えられ、前記与えられたＩＤとシーケンス番号順に表示されるが、前記ＩＤとシーケンス番号は、第２サーバ３００により設定されることが好ましい。
【００４６】
以下、このような本発明によるオンラインコンテンツを提供する移動通信端末機の構成を図２に基づいて説明する。
【００４７】
図２は本発明によるオンラインコンテンツを提供する移動通信端末機の構成を示すブロック図である。
【００４８】
図２に示すように、本発明によるオンラインコンテンツを提供する移動通信端末機１００は、複数のオンラインコンテンツを周期的に受信する送受信部１１０と、前記受信された各オンラインコンテンツを保存するメモリ１２０（すなわち、ＲＡＭ、ＲＯＭ、ハードディスク、フラッシュメモリなど）と、前記保存された各オンラインコンテンツを予め設定された領域に順次表示するディスプレイ部１６０（例えば、ＬＣＤ、ＰＤＰなど）と、自動アップデート機能を利用して、前記表示される各オンラインコンテンツを周期的にアップデートする制御部１３０とを含む。
【００４９】
以下、このように構成された本発明による移動通信端末機のコンテンツ提供方法を図３に基づいて説明する。
【００５０】
図３は本発明による移動通信端末機のコンテンツ提供方法を示すフローチャートである。
【００５１】
図３に示すように、本発明による移動通信端末機のコンテンツ提供方法は、自動アップデート機能を利用する移動通信端末機であることを第１サーバに登録する段階（Ｓ１００）と、デフォルトで設定された複数のオンラインコンテンツをディスプレイ部の予め設定された領域に順次表示する段階（Ｓ２００）と、予め設定された時間が経過したか否かを確認する段階（Ｓ３００）と、前記予め設定された時間が経過すると、複数のオンラインコンテンツを第２サーバからダウンロードする段階（Ｓ４００）と、前記ダウンロードした各オンラインコンテンツをディスプレイ部の予め設定された領域に順次表示する段階（Ｓ５００）とを含む。
【００５２】
以下、このような本発明による移動通信端末機のコンテンツ提供方法についてより詳しく説明する。
【００５３】
まず、制御部１３０は、自動アップデート機能を利用できるときに、前記自動アップデート機能を利用する移動通信端末機であることを第１サーバ２００に登録する（Ｓ１００）。すなわち、第１サーバ２００は、前記自動アップデート機能を利用する少なくとも１つ以上の移動通信端末機を登録して管理する。このために、第１サーバ２００は、前記自動アップデート機能を利用する少なくとも１つ以上の移動通信端末機の登録要求を受信する。
【００５４】
移動通信端末機１００は、ユーザによるアクティブデスクトップ機能を利用するためのオプション（すなわち、表示されるオンラインコンテンツの総数、前記オンラインコンテンツの表示形式、前記オンラインコンテンツのカラー、前記オンラインコンテンツの再生時間）の選択によって、前記アクティブデスクトップ機能を設定又は解除できる。
【００５５】
以下、このように自動アップデート機能を利用する移動通信端末機を登録する方法を図４に基づいて説明する。
【００５６】
図４は図３における移動通信端末機を登録する方法を詳細に示すフローチャートである。
【００５７】
図４に示すように、本発明によるオンラインコンテンツを提供する移動通信端末機を登録する方法は、電源の供給により前記移動通信端末機が起動する段階（Ｓ１１０）と、前記移動通信端末機の起動時に前記自動アップデート機能を利用するか否かを確認する段階（Ｓ１２０）と、前記自動アップデート機能を利用する場合、前記起動が１次起動であるか否かを確認する段階（Ｓ１３０）と、前記起動が１次起動であると、前記移動通信端末機が前記第１サーバに前記自動アップデート機能を利用する移動通信端末機であることを登録する段階（Ｓ１４０）とを含む。
【００５８】
以下、このような本発明によるオンラインコンテンツを提供する移動通信端末機を登録する方法についてより詳しく説明する。
【００５９】
まず、移動通信端末機１００は、電源の供給により起動するが（Ｓ１１０）、前記電源の供給による起動時、制御部１３０は、前記自動アップデート機能を利用するか否かを確認する（Ｓ１２０）。すなわち、制御部１３０は、前記自動アップデート機能を設定するオプションでのユーザの選択によって、前記自動アップデート機能を設定又は解除することができる。
【００６０】
制御部１３０は、前記自動アップデート機能を利用する場合、前記起動が１次起動であるか否かを確認し（Ｓ１３０）、１次起動であると、前記自動アップデート機能を利用する移動通信端末機であることを第１サーバ２００に登録する（Ｓ１４０）。すなわち、制御部１３０は、前記起動が前記自動アップデート機能を利用するための最初の起動であるか否かを確認することにより、第１サーバ２００に登録されているか否かが分かる。
【００６１】
このように、制御部１３０は、１次起動であると、前記自動アップデート機能を利用する移動通信端末機であることを第１サーバ２００に登録し、デフォルトで設定された複数のオンラインコンテンツをディスプレイ部１６０の予め設定された領域に順次表示し、１次起動でないと、第１サーバ２００に登録する過程を経ずに前記デフォルトで設定された複数のオンラインコンテンツをディスプレイ部１６０の予め設定された領域に順次表示する（Ｓ２００）。
【００６２】
その後、制御部１３０は、予め設定された時間が経過したか否かを確認する（Ｓ３００）。すなわち、制御部１３０は、前記登録を行った後、前記予め設定された時間ごとに前記複数のオンラインコンテンツを第２サーバ３００からダウンロードするが（Ｓ４００）、前記複数のオンラインコンテンツをテキストとイメージとに分け、まず前記複数のオンラインコンテンツのテキストをダウンロードする方法を図５に基づいて説明する。
【００６３】
図５は図３における複数のオンラインコンテンツのテキストをダウンロードする方法を詳細に示すフローチャートである。
【００６４】
図５に示すように、本発明による複数のオンラインコンテンツのテキストをダウンロードする方法は、前記予め設定された時間が経過すると、第２サーバ３００に前記複数のオンラインコンテンツのテキストを要求する段階（Ｓ４１２）と、前記要求した各オンラインコンテンツの全てのテキストを完全にダウンロードしたか否かを確認する段階（Ｓ４１４）と、前記各オンラインコンテンツの全てのテキストが完全にダウンロードされると、前記ダウンロードした各オンラインコンテンツのテキストを全て保存する段階（Ｓ４１６）とを含む。ここで、前記オンラインコンテンツのテキストとは、ＸＭＬ（Ｅｘｔｅｎｓｉｂｌｅ  Ｍａｒｋｕｐ  Ｌａｎｇｕａｇｅ）文書などをいう。
【００６５】
ここで、移動通信端末機１００は、前記各オンラインコンテンツの全てのテキストが完全にダウンロードされていないと、前記各オンラインコンテンツのテキストの再転送を予め設定された回数だけ要求する（Ｓ４１８）。
【００６６】
以下、このような本発明による複数のオンラインコンテンツのテキストをダウンロードする方法についてより詳しく説明する。
【００６７】
まず、制御部１３０は、前記予め設定された時間が経過すると、第２サーバ３００に複数のオンラインコンテンツのテキストを要求する（Ｓ４１２）。すなわち、制御部１３０は、前記自動アップデート機能により、前記複数のオンラインコンテンツを前記予め設定された時間ごとにダウンロードすることができ、第２サーバ３００は、前記自動アップデート機能により、前記複数のオンラインコンテンツを前記各オンラインコンテンツを提供するウェブサイトからダウンロードすることができる。
【００６８】
その後、制御部１３０は、第２サーバ３００から前記複数のオンラインコンテンツのテキストをダウンロードし、前記複数のオンラインコンテンツの全てのテキストを完全にダウンロードしたか否かを確認する（Ｓ４１４）。すなわち、制御部１３０は、前記複数のオンラインコンテンツの全てのテキストが完全にダウンロードされていないと、前記各オンラインコンテンツのテキストの再転送を予め設定された回数だけ要求する（Ｓ４１８）。
【００６９】
それに対して、前記複数のオンラインコンテンツの全てのテキストが完全にダウンロードされると、制御部１３０は、前記ダウンロードした各オンラインコンテンツのテキストを全てメモリ１２０に保存する（Ｓ４１６）。
【００７０】
その後、制御部１３０は、前記保存された各オンラインコンテンツのテキストに対応するイメージをダウンロードするが、このように複数のオンラインコンテンツのイメージをダウンロードする方法を図６に基づいて説明する。
【００７１】
図６は図３における複数のオンラインコンテンツのイメージをダウンロードする方法を詳細に示すフローチャートである。
【００７２】
図６に示すように、本発明による複数のオンラインコンテンツのイメージをダウンロードする方法は、前記保存された各オンラインコンテンツのテキストを分析し、前記各テキストに対応するイメージがあるか否かを確認する段階（Ｓ４２２）と、前記各テキストに対応するイメージがあると、前記各オンラインコンテンツのイメージを第２サーバ３００に要求する段階（Ｓ４２４）と、前記要求した各オンラインコンテンツの全てのイメージを完全にダウンロードしたか否かを確認する段階（Ｓ４２６）と、前記各オンラインコンテンツの全てのイメージが完全にダウンロードされると、前記ダウンロードした各オンラインコンテンツのイメージを全て保存する段階（Ｓ４２８）とを含む。
【００７３】
ここで、移動通信端末機１００は、前記各オンラインコンテンツの全てのイメージが完全にダウンロードされていないと、前記各オンラインコンテンツのテキストの再転送を予め設定された回数だけ要求する（Ｓ４３０）。
【００７４】
以下、このような本発明による複数のオンラインコンテンツのイメージをダウンロードする方法についてより詳しく説明する。
【００７５】
まず、制御部１３０は、前記ダウンロードした各オンラインコンテンツのテキストを分析することにより、前記各テキストに対応するイメージがあるか否かを確認し（Ｓ４２２）、前記各テキストに対応するイメージを第２サーバ３００に要求する（Ｓ４２４）。
【００７６】
その後、制御部１３０は、第２サーバ３００から前記複数のオンラインコンテンツのイメージをダウンロードし、前記複数のオンラインコンテンツの全てのイメージを完全にダウンロードしたか否かを確認する（Ｓ４２６）。すなわち、制御部１３０は、前記複数のオンラインコンテンツの全てのイメージが完全にダウンロードされていないと、前記各オンラインコンテンツのイメージの再転送を予め設定された回数だけ要求する（Ｓ４３０）。
【００７７】
それに対して、前記複数のオンラインコンテンツの全てのイメージが完全にダウンロードされると、制御部１３０は、前記ダウンロードした各オンラインコンテンツのイメージを全てメモリ１２０に保存する（Ｓ４２８）。
【００７８】
つまり、移動通信端末機１００は、前記ダウンロードした各オンラインコンテンツの第１データ及び第２データ、すなわち、テキスト及びイメージをディスプレイ部１６０の予め設定された領域に順次表示することができる（Ｓ５００）。以下、このようにオンラインコンテンツが表示される移動通信端末機のディスプレイ部について図７に基づいて説明する。
【００７９】
図７は本発明による移動通信端末機のディスプレイ部を示す図である。
【００８０】
図７に示すように、本発明による移動通信端末機１００は、前記各オンラインコンテンツをディスプレイ部の予め設定された領域に順次表示する。ここで、前記表示される各オンラインコンテンツは、予め設定された時間間隔で移動するか、又はユーザの選択により移動することができる。
【００８１】
ここで、移動通信端末機１００は、前記複数のオンラインコンテンツを、前記ディスプレイ部の予め設定された領域、すなわち、上、下、左、右領域の少なくともいずれか１つの領域に順次表示できるだけでなく、前記複数のオンラインコンテンツを、上から下、下から上、左から右、右から左のいずれか１つの方向に周期的に移動させることができる。
【００８２】
その後、移動通信端末機１００は、前記表示されるオンラインコンテンツのうち、ユーザにより選択されたいずれか１つのオンラインコンテンツを提供するために、前記各オンラインコンテンツに含まれたＵＲＬ（Ｕｎｉｆｏｒｍ  Ｒｅｓｏｕｒｃｅ  Ｌｏｃａｔｏｒ）やＵＲＩ（Ｕｎｉｆｏｒｍ  Ｒｅｓｏｕｒｃｅ  Ｉｄｅｎｔｉｆｉｅｒ）に基づいて該当ウェブサイトに接続して、該当オンラインコンテンツを実行することができる。
【００８３】
例えば、移動通信端末機１００は、ユーザにより新しいミュージックビデオを提供するためのオンラインコンテンツが選択されることによって、前記選択されたオンラインコンテンツを提供するウェブサイトに接続し、前記接続したウェブサイトを介して前記新しいミュージックビデオをリアルタイムに鑑賞することができる。
【００８４】
前述した実施形態においては、前記第１サーバが登録サーバとして動作し、前記第２サーバはコンテンツ提供サーバとして動作する場合を説明したが、前記第１サーバと前記第２サーバとは１つのサーバに統合することもでき、前記統合されたサーバは、登録サーバとしてもコンテンツ提供サーバとしても動作する。
【００８５】
また、前述した実施形態において、前記通信装置（端末機、ハンドセット、ＰＤＡ、ノートブックコンピュータ、デスクトップコンピュータなど）は、ユーザのオンラインコンテンツへの関心を増大させるために、多様なイメージ処理機能を含むことができる。
【００８６】
一方、前述した移動通信端末機は、固有の特性、すなわち、移動性、限られたプロセッサの性能、限られたメモリのサイズ、限られたバッテリーの電力消費、相対的に小さいディスプレイのサイズにより、本発明の実現時、次の事項を十分に考慮しなければならない。例えば、前記ディスプレイのサイズが小さいため、前記ディスプレイの一部分は、オンラインコンテンツの表示のために割り当てられ、残り部分は、他の機能、すなわち、ブロードキャストストリーミングサービスの表示のために割り当てられなければならない。また、相対的に小さいディスプレイのサイズ又は限られたプロセッサの性能により、表示されるオンラインコンテンツの数を適切に制限することが好ましい。また、メモリ又は他のタイプの保存手段も容量が制限されるため、保存されるオンラインコンテンツの数を適切に制限することが好ましい。例えば、移動通信端末機用メモリ又は記録媒体は、約１５分のオンラインコンテンツを保存できるため、新しいオンラインコンテンツを保存するためには、古いオンラインコンテンツを削除しなければならない。ここで、このような削除は、ユーザに古いデータの削除を確認することにより自動で行われるようにすることができる。また、メモリ容量を節約するために、商業広告又は広告などのオンラインコンテンツをメモリから検出して削除できる。ここで、前記商業広告又は広告は、初期には保存し、前記メモリ容量の不足が検出されたときには削除できる。一方、前述のように古いデータを削除せず、前記オンラインコンテンツを圧縮又は最小化したバージョンで保存することにより、前述した制約を克服できる。代案として、イメージの解像度を低くするか、又はデータファイルを圧縮して保存できる。前記オンラインコンテンツのイメージの解像度を低くする場合、欠点が伴うものの、ユーザが多くのコンテンツを保有できるという利点があるので、ユーザの選択により行われる。
【００８７】
以下、一般の移動通信システムに実現された本発明を説明する。しかし、本発明の特徴は、他のタイプの通信システム（例えば、３ＧＰＰ２、４Ｇ、ＩＥＥＥ、ＯＭＡなどの標準に準拠したシステム）にも適用できることはもちろんである。さらに、本発明は、他の現在の技術、例えば、衛星又は地上波デジタルマルチメディア放送（ＤＭＢ）、デジタルビデオブロードキャスティング（ＤＶＢ又はＤＶＢ−Ｈ）、ストリーミングビデオ技術、無線インターフェースを利用したマルチメディア通信技術にも適用できる。
【００８８】
前述した多様な特徴を実現するために、本発明は、多様なタイプのハードウェア及び／又はソフトウェアコンポーネントを使用できる。例えば、他のハードウェアモジュールは、前述した方法の各過程の実現に必要なコンポーネント及び多様な回路を含むことができる。また、他のソフトウェアモジュール（プロセッサ及び／又は他のハードウェアにより実行可能である）は、本発明の方法の各過程の実現に必要な多様なコード及びプロトコルを含むことができる。
【００８９】
さらに、前記移動通信端末機１００は、データを保存するために、外部記録媒体（例えば、メモリカード）を収容するスロットを含むように構成できる。また、追加的な機能、例えば、ブロードキャスト受信モジュール、ＭＰ３再生モジュール、インターネットバンキングモジュールを提供することもできる。
【００９０】
さらに、現在の電子及び／又はデジタル装置のコンバーゼンス傾向を考慮すると、本発明による移動通信端末機は、このような多様な全ての特徴及び変化を含むことができることは当業者にとっては自明であるので、その説明を省略する。
【００９１】
一方、本発明は、コンテンツを表示するディスプレイ部と、通信ネットワークでコンテンツを受信する送受信部と、前記送受信部に受信されたコンテンツを保存するメモリと、前記ディスプレイ部、前記送受信部、及び前記メモリと相互作用して、前記コンテンツのテキストデータを受信する段階と、前記テキストデータの受信が完了した後、前記受信されたテキストデータに対応するイメージデータを受信する段階と、前記受信されたコンテンツのテキストデータ及びイメージデータを前記ディスプレイ部の予め設定された領域に表示する段階とを行う制御部とを含むことを特徴とする移動通信端末機を提供する。ここで、前記コンテンツは、商業広告、広告、又は様々な案内通知を含むことができる。また、前記テキストデータを受信する段階は、前記テキストデータの受信が完了したか否かを確認する段階と、前記テキストデータの受信が完了していないと、ネットワークに通知する段階と、前記完了していないテキストデータを選択的に再受信する段階と、前記受信及び前記選択的再受信後、前記テキストデータの受信が完了したことを前記ネットワークに通知する段階とを含むことができる。
【００９２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００９３】
複数のコンテンツをディスプレイ部の予め設定された領域に表示し、アップデート機能を利用して、各コンテンツをダウンロードすることにより、コンテンツを利用するユーザの利便性を向上できるコンテンツ提供システム及びその方法を提供する。
【００９４】
移動通信端末機のコンテンツ提供方法は、コンテンツを周期的に受信する段階と、受信されたコンテンツをディスプレイ部の予め設定された領域に順次表示する段階とを含む。
【図面の簡単な説明】
【００９５】
【図１】本発明によるコンテンツ提供システムを示す図である。
【図２】本発明によるオンラインコンテンツを提供する移動通信端末機の構成を示すブロック図である。
【図３】本発明による移動通信端末機のコンテンツ提供方法を示すフローチャートである。
【図４】図３における移動通信端末機を登録する方法を詳細に示すフローチャートである。
【図５】図３における複数のオンラインコンテンツのテキストをダウンロードする方法を詳細に示すフローチャートである。
【図６】図３における複数のオンラインコンテンツのイメージをダウンロードする方法を詳細に示すフローチャートである。
【図７】本発明による移動通信端末機のディスプレイ部を示す図である。
【符号の説明】
【００９６】
１００  移動通信端末機
２００  第１サーバ
３００  第２サーバ
１１０  送受信部
１２０  メモリ
１３０  制御部
１４０  入力部
１５０  オーディオ処理部
１６０  ディスプレイ部
【図１】
2006351018.tif 000003
【図２】
2006351018.tif 000004
【図３】
2006351018.tif 000005
【図４】
2006351018.tif 000006
【図５】
2006351018.tif 000007
【図６】
2006351018.tif 000008
【図７】
2006351018.tif 000009